(57)【特許請求の範囲】
【請求項１】
借方入力欄および貸方入力欄の対を含む複数個の行が設定されている振替伝票形式の振替伝票入力画面を表示する振替伝票入力画面表示手段と、
前記振替伝票入力画面の各入力欄にデータを入力する入力手段と、
前記入力手段による振替伝票データ入力時に、借方入力欄にデータ入力がなされなかったときには次の行以降の借方入力欄への入力を振替伝票一枚分の振替伝票データの入力が終わるまで禁止し、貸方入力欄に対しデータ入力がなされなかった時には次の行以降の貸方入力欄への入力を振替伝票一枚分の振替伝票データの入力が終わるまで禁止し、次の振替伝票の入力開始時に上記入力欄に対して行った入力禁止を解除する入力制御手段と、
を備えたことを特徴とする会計伝票入力装置。
【請求項２】
借方入力欄および貸方入力欄の対を含む複数個の行が設定されている振替伝票形式の振替伝票入力画面を表示する振替伝票入力画面表示手段と、
前記振替伝票入力画面の各入力欄へのデータ入力若しくは入力欄固定操作を行う入力手段と、
前記入力手段による振替伝票データの入力時に、貸方入力欄固定操作がなされた場合には次の行以降の借方入力欄への入力を振替伝票一枚分の振替伝票データの入力が終わるまで禁止し、借方入力欄固定操作がなされた場合には次の行以降の貸方入力欄への入力を振替伝票一枚分の振替伝票データの入力が終わるまで禁止し、次の振替伝票の入力開始時に上記入力欄に対して行った入力禁止を解除する入力制御手段と、
を備えたことを特徴とする会計伝票入力装置。
【請求項３】
借方入力欄および貸方入力欄の対を含む複数個の行が設定されている振替伝票形式の振替伝票入力画面を表示する振替伝票入力画面表示手段と、
前記振替伝票入力画面の各入力欄にデータを入力する入力手段と、
前記入力手段による振替伝票データ入力時に、借方入力欄にデータが入力されなかったときには次の行以降の借方入力欄への入力案内用カーソル表示を振替伝票一枚分の振替伝票データの入力が終わるまで禁止し、貸方入力欄にデータが入力されなかった時には次の行以降の貸方入力欄への入力案内用カーソル表示を振替伝票一枚分の振替伝票データの入力が終わるまで禁止し、次の振替伝票の入力開始時に入力欄に対して行ったカーソル表示禁止を解除するカーソル表示制御手段と、
を備えたことを特徴とする会計伝票入力装置。
【請求項４】
借方入力欄および貸方入力欄の対を含む複数個の行が設定されている振替伝票形式の振替伝票入力画面を表示する振替伝票入力画面表示手段と、
前記振替伝票入力画面の各入力欄へのデータ入力若しくは入力欄固定操作を行う入力手段と、
前記入力手段による振替伝票データ入力時に、貸方入力欄固定操作がなされた場合には次の行以降の借方入力欄への入力案内用カーソル表示を振替伝票一枚分の振替伝票データの入力が終わるまで禁止し、借方入力欄固定操作がなされた場合には次の行以降の貸方入力欄への入力案内用カーソル表示を振替伝票一枚分の振替伝票データの入力が終わるまで禁止し、次の振替伝票の入力開始時に上記入力欄に対して行ったカーソル表示禁止を解除するカーソル表示制御手段と、
を備えたことを特徴とする会計伝票入力装置。
【請求項５】
コンピュータを、振替伝票データの入力処理を行なう振替伝票入力処理手段として機能させる振替伝票入力処理プログラムを記録したコンピュータ読取可能な記録媒体であって、
前記振替伝票入力処理プログラムは、
前記コンピュータを、
借方入力欄および貸方入力欄の対を含む複数個の行が設定されている振替伝票形式の振替伝票入力画面を表示する振替伝票入力画面表示手段、
借方入力欄にデータが入力されなかったときには次の行以降の借方入力欄への入力を振替伝票一枚分の振替伝票データの入力が終わるまで禁止し、貸方入力欄にデータが入力されなかった時には次の行以降の貸方入力欄への入力を振替伝票一枚分の振替伝票データの入力が終わるまで禁止し、次の振替伝票の入力開始時に上記入力欄に対して行った入力禁止を解除する振替伝票入力制御手段、
として機能させるプログラムを含むことを特徴とするコンピュータ読取可能な記録媒体。
【請求項６】
コンピュータを、振替伝票データの入力処理を行なう振替伝票入力処理手段として機能させる振替伝票入力処理プログラムを記録したコンピュータ読取可能な記録媒体であって、
前記振替伝票入力処理プログラムは、
前記コンピュータを、
借方入力欄および貸方入力欄の対を含む複数個の行が設定されている振替伝票形式の振替伝票入力画面を表示する振替伝票入力画面表示手段、
前記振替伝票入力画面の前記各入力欄への振替伝票データ入力時に、貸方入力欄固定操作がなされた場合には次の行以降の借方入力欄への入力を振替伝票一枚分の振替伝票データの入力が終わるまで禁止し、借方入力欄固定操作がなされた場合には次の行以降の貸方入力欄への入力を振替伝票一枚分の振替伝票データの入力が終わるまで禁止し、次の振替伝票の入力開始時に上記入力欄に対して行った入力禁止を解除する振替伝票入力制御手段、
として機能させるプログラムを含むことを特徴とするコンピュータ読取可能な記録媒体。
【請求項７】
コンピュータを、振替伝票データの入力処理を行なう振替伝票入力処理手段として機能させる振替伝票入力処理プログラムを記録したコンピュータ読取可能な記録媒体であって、
前記振替伝票入力処理プログラムは、
前記コンピュータを、
借方入力欄および貸方入力欄の対を含む複数個の行が設定されている振替伝票形式の振替伝票入力画面を表示する振替伝票入力画面表示手段、
前記各入力欄への振替伝票データ入力時に、借方入力欄にデータが入力されなかったときには次の行以降の借方入力欄への入力案内用カーソル表示を振替伝票一枚分の振替伝票データの入力が終わるまで禁止し、貸方入力欄にデータが入力されなかった時には次の行以降の貸方入力欄への入力案内用カーソル表示を振替伝票一枚分の振替伝票データの入力が終わるまで禁止し、次の振替伝票の入力開始時に上記入力欄に対して行ったカーソル表示禁止を解除するカーソル表示制御手段、
として機能させるプログラムを含むことを特徴とするコンピュータ読取可能な記録媒体。
【請求項８】
コンピュータを、振替伝票データの入力処理を行なう振替伝票入力処理手段として機能させる振替伝票入力処理プログラムを記録したコンピュータ読取可能な記録媒体であって、
前記振替伝票入力処理プログラムは、
前記コンピュータを、
借方入力欄および貸方入力欄の対を含む複数個の行が設定されている振替伝票形式の振替伝票入力画面を表示する振替伝票入力画面表示手段、
前記各入力欄への振替伝票データ入力時に、貸方入力欄固定操作がなされた場合には次の行以降の借方入力欄への入力案内用カーソル表示を振替伝票一枚分の振替伝票データの入力が終わるまで禁止し、借方入力欄固定操作がなされた場合には次の行以降の貸方入力欄への入力案内用カーソル表示を振替伝票一枚分の振替伝票データの入力が終わるまで禁止し、次の振替伝票の入力開始時に上記入力欄に対して行ったカーソル表示禁止を解除するカーソル表示制御手段、
として機能させるプログラムを含むことを特徴とするコンピュータ読取可能な記録媒体。
【発明の詳細な説明】
【０００１】
【発明の属する技術分野】
本発明はコンピュータ装置を利用した会計処理技術分野における伝票入力技術に関する。
【０００２】
【従来の技術】
コンピュータ装置による会計処理を行なう会計伝票入力装置または会計処理装置で会計伝票形式の入力画面を表示してデータを入力するように構成したものがある。
【０００３】
このような会計伝票入力装置（或いは、会計処理装置）では、会計伝票のうち振替伝票は図２に示すように借方金額および借方科目（コード）（或いは、借方科目（コード）および借方金額）からなる借方欄と、摘要欄、および貸方科目（コード）および貸方金額からなる貸方欄からなる複数の入力行を備えている（図２では８行の例を示したが、通常は十数行の入力行を備えている）。
【０００４】
従来の会計伝票入力装置（または会計伝票入力装置）で、このような振替伝票形式の入力画面を用いて振替伝票入力を行なう場合には、先ず、入力案内用カーソルが入力行の左上（図２の例では、借方欄の金額入力欄の先頭）に表示されるので、ユーザが借方欄の金額を入力するとカーソルが借方科目入力欄に移動し、ユーザが借方科目コードを入力すると、カーソルが貸方科目入力欄に移動し貸方科目コードの入力を促す。次に、ユーザが貸方科目コードを入力するとカーソルが金額入力欄に移動し、カーソルが次の行の借方科目入力欄に移動し借方金額の入力を促す。
【０００５】
このように、従来の振替伝票入力方式では同じ入力行上で借方欄から貸方欄へと入力案内用のカーソルが移動し、貸方欄の入力が終ると次の行の借方欄へと入力案内用のカーソルを移動させて入力を行なわせるようにし、最終入力行（図２では３行目の入力行）では所定の伝票１枚終了キーまたは改行キーを押して伝票１枚分の入力処理を終らせるようにしている。
【０００６】
【発明が解決しようとする課題】
振替伝票は、通常、複合取引の仕訳結果の入力を行なうので図８（ａ）に示すように１対多（図８（ａ）の例では１対３）或いは図２および図９（ａ）に示すように多対１（図２および図９（ａ）の例では３対１）というように借方或いは貸方のどちら一方の勘定数が多くなる（借方勘定の数と貸方勘定の数が１対１の場合もあるが、少ない）。
【０００７】
従来の振替伝票入力方式では、上述したように同じ入力行上で借方欄から貸方欄へと入力案内用のカーソルが移動し、貸方欄の入力が終ると次の行の借方欄へと入力案内用のカーソルを移動させて入力を行なうように構成されているので、借方勘定と貸方勘定が１対多或いは多対１の場合には、入力データがなくてもカーソルの案内に従って入力スキップ操作（例えば、タブ（Ｔａｂ）キーの押し下げ）を行なう必要があるので、その分入力操作に無駄が生じ入力効率の向上を妨げていた。
【０００８】
例えば、図８に示すような１対多（１対３）の例では、図８（ａ）に示すように１行目は借方欄、貸方欄共に入力データ（入力科目コード、入力金額）があるが、２行目、３行目は貸方欄には入力会計データがあるが借方欄にはない。この場合、従来の振替伝票入力方式では図８（ｂ）に示すように［１］〜［５］、［６］〜［１０］、［１１］〜［１５］というように移動するカーソルの案内にしたがってユーザは入力を行なう。しかし、図８（ｂ）で［６］，［７］、［１１］，［１２］の入力欄には入力データがないのでユーザは［６］，［７］、［１１］，［１２］について入力スキップ操作を行なう必要があった。
【０００９】
また、図９に示すような多対１（３対１）の例では、図９（ａ）に示すように１行目は借方欄、貸方欄共に入力データ（入力科目コード、入力金額）があるが、２行目、３行目は借方欄には入力会計データがあるが貸方欄にはない。この場合、従来の振替伝票入力方式では図９（ｂ）に示すように［１］〜［５］、［６］〜［１０］、［１１］〜［１３］というように移動するカーソルの案内にしたがってユーザは入力を行なう。しかし、図９（ｂ）で［９］，［１０］の入力欄には入力データがないのでユーザは［９］，［１０］について入力スキップ操作を行なう必要があった。
【００１０】
上述したように、従来の振替伝票入力方式では入力案内用カーソルを入力データ項目に従って順次表示するようにして、入力データの有無による入力制御をユーザ側に全て委ねているので、データ入力の必要な部分と不必要な部分（スキップ操作の必要な部分）の切り分けを操作時にその都度ユーザが判断する必要があった。
【００１１】
また、カーソルに追従して入力を行なうので、入力の不要な部分にカーソルが移動した場合にユーザが追従してデータ入力を行なってしまう（例えば、図９（ｂ）で、カーソルが［９］に移動したときに、ユーザがカーソルに追従して［１１］に入力すべき借方金額「１０，０００」（図９（ａ））を［９］に入力してしまう）ような入力誤りが時々生じていた。
【００１２】
本発明は上記問題点を解消するためになされたものであり、振替伝票データの入力時に入力データのない入力欄についてはデータの入力を自動的に省略し、入力誤りを低減させると共に入力効率を向上させ得る会計伝票入力装置およびプログラムを記録したコンピュータ読取可能な記録媒体の提供を目的とする。
【００１３】
【課題を解決するための手段】
上記問題を解決するために、請求項１に記載の発明の会計処理装置は、借方入力欄および貸方入力欄の対を含む複数個の行が設定されている振替伝票形式の振替伝票入力画面を表示する振替伝票入力画面表示手段と、振替伝票入力画面の各入力欄にデータを入力する入力手段と、入力手段による振替伝票データの入力時に、借方入力欄に対しデータ入力がなされなかったときには次の行以降の借方入力欄への入力を振替伝票一枚分の振替伝票データの入力が終わるまで禁止し、貸方入力欄に対しデータ入力がなされなかった時には次の行以降の貸方入力欄への入力を振替伝票一枚分の振替伝票データの入力が終わるまで禁止し、次の振替伝票の入力開始時に上記入力欄に対して行った入力禁止を解除する入力制御手段と、を備えたことを特徴とする。
【００１４】
また、請求項２に記載の発明は請求項１に記載の発明の会計処理装置において、借方入力欄および貸方入力欄の対を含む複数個の行が設定されている振替伝票形式の振替伝票入力画面を表示する振替伝票入力画面表示手段と、振替伝票入力画面の各入力欄へのデータ入力若しくは入力欄固定操作を行う入力手段と、入力手段による振替伝票データの入力時に、貸方入力欄固定操作がなされた場合には次の行以降の借方入力欄への入力を振替伝票一枚分の振替伝票データの入力が終わるまで禁止し、借方入力欄固定操作がなされた場合には次の行以降の貸方入力欄への入力を振替伝票一枚分の振替伝票データの入力が終わるまで禁止し、次の振替伝票の入力開始時に上記入力欄に対して行った入力禁止を解除する入力制御手段と、を備えたことを特徴とする。
【００１５】
また、請求項３に記載の発明の会計処理装置は、借方入力欄および貸方入力欄の対を含む複数個の行が設定されている振替伝票形式の振替伝票入力画面を表示する振替伝票入力画面表示手段と、振替伝票入力画面の各入力欄にデータを入力する入力手段と、入力手段による振替伝票データ入力時に、借方入力欄にデータが入力されなかったときには次の行以降の借方入力欄への入力案内用カーソル表示を振替伝票一枚分の振替伝票データの入力が終わるまで禁止し、貸方入力欄にデータが入力されなかった時には次の行以降の貸方入力欄への入力案内用カーソル表示を振替伝票一枚分の振替伝票データの入力が終わるまで禁止し、次の振替伝票の入力開始時に入力欄に対して行ったカーソル表示禁止を解除するカーソル表示制御手段と、を備えたことを特徴とする会計伝票入力装置。
【００１６】
また、請求項４に記載の発明の会計処理装置は、借方入力欄および貸方入力欄の対を含む複数個の行が設定されている振替伝票形式の振替伝票入力画面を表示する振替伝票入力画面表示手段と、振替伝票入力画面の各入力欄へのデータ入力若しくは入力欄固定操作を行う入力手段と、入力手段による振替伝票データ入力時に、貸方入力欄固定操作がなされた場合には次の行以降の借方入力欄への入力案内用カーソル表示を振替伝票一枚分の振替伝票データの入力が終わるまで禁止し、借方入力欄固定操作がなされた場合には次の行以降の貸方入力欄への入力案内用カーソル表示を振替伝票一枚分の振替伝票データの入力が終わるまで禁止し、次の振替伝票の入力開始時に上記入力欄に対して行ったカーソル表示禁止を解除するカーソル表示制御手段と、を備えたことを特徴とする。
【００１７】
また、請求項５に記載のコンピュータ読取可能な記録媒体は、コンピュータを、振替伝票データの入力処理を行なう振替伝票入力処理手段として機能させる振替伝票入力処理プログラムを記録したコンピュータ読取可能な記録媒体であって、振替伝票入力処理プログラムは、前記コンピュータを、借方入力欄および貸方入力欄の対を含む複数個の行が設定されている振替伝票形式の振替伝票入力画面を表示する振替伝票入力画面表示手段、借方入力欄にデータが入力されなかったときには次の行以降の借方入力欄への入力を振替伝票一枚分の振替伝票データの入力が終わるまで禁止し、貸方入力欄にデータが入力されなかった時には次の行以降の貸方入力欄への入力を振替伝票一枚分の振替伝票データの入力が終わるまで禁止し、次の振替伝票の入力開始時に上記入力欄に対して行った入力禁止を解除する振替伝票入力制御手段、として機能させるプログラムを含むことを特徴とする。
また、請求項６に記載のコンピュータ読取可能な記録媒体は、コンピュータを、振替伝票データの入力処理を行なう振替伝票入力処理手段として機能させる振替伝票入力処理プログラムを記録したコンピュータ読取可能な記録媒体であって、振替伝票入力処理プログラムは、前記コンピュータを、借方入力欄および貸方入力欄の対を含む複数個の行が設定されている振替伝票形式の振替伝票入力画面を表示する振替伝票入力画面表示手段、振替伝票入力画面の各入力欄への振替伝票データ入力時に、貸方入力欄固定操作がなされた場合には次の行以降の借方入力欄への入力を振替伝票一枚分の振替伝票データの入力が終わるまで禁止し、借方入力欄固定操作がなされた場合には次の行以降の貸方入力欄への入力を振替伝票一枚分の振替伝票データの入力が終わるまで禁止し、次の振替伝票の入力開始時に上記入力欄に対して行った入力禁止を解除する振替伝票入力制御手段、として機能させるプログラムを含むことを特徴とする。
【００１８】
また、請求項７に記載のコンピュータ読取可能な記録媒体は、コンピュータを、振替伝票データの入力処理を行なう振替伝票入力処理手段として機能させる振替伝票入力処理プログラムを記録したコンピュータ読取可能な記録媒体であって、振替伝票入力処理プログラムは、前記コンピュータを、借方入力欄および貸方入力欄の対を含む複数個の行が設定されている振替伝票形式の振替伝票入力画面を表示する振替伝票入力画面表示手段、各入力欄への振替伝票データ入力時に、借方入力欄にデータが入力されなかったときには次の行以降の借方入力欄への入力案内用カーソル表示を振替伝票一枚分の振替伝票データの入力が終わるまで禁止し、貸方入力欄にデータが入力されなかった時には次の行以降の貸方入力欄への入力案内用カーソル表示を振替伝票一枚分の振替伝票データの入力が終わるまで禁止し、次の振替伝票の入力開始時に上記入力欄に対して行ったカーソル表示禁止を解除するカーソル表示制御手段、として機能させるプログラムを含むことを特徴とする。
また、請求項８に記載のコンピュータ読取可能な記録媒体は、コンピュータを、振替伝票データの入力処理を行なう振替伝票入力処理手段として機能させる振替伝票入力処理プログラムを記録したコンピュータ読取可能な記録媒体であって、振替伝票入力処理プログラムは、前記コンピュータを、借方入力欄および貸方入力欄の対を含む複数個の行が設定されている振替伝票形式の振替伝票入力画面を表示する振替伝票入力画面表示手段、各入力欄への振替伝票データ入力時に、貸方入力欄固定操作がなされた場合には次の行以降の借方入力欄への入力案内用カーソル表示を振替伝票一枚分の振替伝票データの入力が終わるまで禁止し、借方入力欄固定操作がなされた場合には次の行以降の貸方入力欄への入力案内用カーソル表示を振替伝票一枚分の振替伝票データの入力が終わるまで禁止し、次の振替伝票の入力開始時に上記入力欄に対して行ったカーソル表示禁止を解除するカーソル表示制御手段、として機能させるプログラムを含むことを特徴とする。
【００１９】
【発明の実施の形態】
図１は、本発明の会計伝票入力装置の一実施例のハードウエア構成例を示すブロック図であり、会計伝票入力装置１００は、入力部１、制御部２、表示部３、格納部４を備えたコンピュータ装置からなる。
【００２０】
入力部１は、キーボードやマウス等の入力装置やポインティングデバイスからなり、データの入力やメニューの選択、借方或いは貸方の入力禁止指示の入力入力等を行なう。また、入力部１から指示入力（キーボードの特定のキーの押し下げ、ファンクションキーの押し下げ、或いはマウスやタッチペン等による画面上の特定のシンボルのタッチ等）があると、状態信号が制御部２のＣＰＵに送出される。
【００２１】
制御部２は、ＣＰＵ、ＲＡＭ、プログラム格納用ＲＯＭ（図示せず）を有しており、ＣＰＵは、上述の各構成部分等にバスラインを介して接続し、ＲＯＭに格納されている制御プログラムにより会計伝票入力装置１００全体の制御を行なうと共に、入力部１からの状態信号に対応して会計伝票入力装置１００の各機能の実行制御、例えば、ＲＯＭ内に格納された会計伝票入力プログラムの実行による振替伝票入力を始めとする各伝票データの入力処理や、自動仕訳プログラムによる仕訳データの生成や会計業務処理用応用プログラムの実行制御を行なう。また。ＲＡＭはデータ或いは処理結果の一時記憶および中間作業領域等に用いられる。また、プログラム格納用ＲＯＭは上述の制御プログラムおよび会計伝票入力プログラムや自動仕訳プログラムや会計業務処理用応用プログラムの他、入力画面等のフォーマットデータを記録する記録媒体であり、ＰＲＯＭ、ＦＲＯＭ（フラッシュＲＯＭ）等が用いられる。なお、制御プログラムおよび会計伝票入力プログラムや自動仕訳プログラムや会計業務処理用応用プログラムの他、入力画面等のフォーマットデータはＲＯＭに限られず、格納部４（ＦＤ、磁気ディスク或いは光ディスク、メモリーカード等の記録媒体）に記録するようにしてもよい。
【００２２】
表示部３はディスプレイ等の表示装置から構成されており処理選択用メニュー画面や、振替伝票入力画面等のデータ用入力画面、および編集された帳簿データ等を所定のフォーマットで画面に表示する他、カーソルや指示入力用のシンボル等を表示する。
【００２３】
格納部４は、ハードディスク、フロッピーディスク、光ディスク等のリムーバブルな記録媒体のデータやプログラムの読み出し／書込装置、すなわち、磁気ディスク装置，フロッピーディスク装置，光ディスク装置等のいずれかからなっている。
また、格納部４に装着される記録媒体には、応用プログラムやユティリティプログラムを含むプログラムファイルや，取引データファイルおよびこれらファイルを管理するファイル管理リスト（ディクトリ）等が格納されている。また、制御部２のプログラム格納用ＲＯＭの代りに制御プログラム会計伝票入力プログラムや自動仕訳プログラムや会計業務処理用応用プログラムの他、入力画面等のフォーマットデータ等を格納する記録媒体としてもよい。
【００２４】
＜会計伝票入力方法＞
本発明の会計伝票入力方法では振替伝票入力時に借方対貸方がｍ対ｎ（ｍ＜ｎ）の場合には借方欄のｍ＋１行目以降には入力データがないのでｍ＋２行目（或いは、ｍ＋１行目）以降の借方欄への入力案内手段としてのカーソルの表示を禁止するようにして入力行のｍ＋２行目（或いは、ｍ＋１行目）以降の借方欄への入力を行なえないようにする。また、借方対貸方がｎ対ｍ（ｎ＞ｍ）の場合には貸方欄のｍ＋１行目以降には入力データがないのでｍ＋２行目（或いは、ｍ＋１行目）以降の貸方欄へのカーソルの表示を禁止するようにして入力行のｍ＋２行目（或いは、ｍ＋１行目）以降の貸方欄への入力を行なえないようにしている。
【００２５】
この場合、
（１）：借方欄或いは貸方欄へのデータ入力の有無を調べてその結果により入力行のｍ＋２行目以降の借方欄或いは貸方欄への入力カーソルの表示を禁止するようにして入力行のｍ＋２行目（或いは、ｍ＋１行目）以降の借方欄或いは貸方欄への入力を行なえないようする方法（実施例１）と、
（２）  ユーザによる貸方欄或いは借方欄のみへのデータ入力指示（或いはユーザによる借方欄或いは貸方欄へのデータ入力禁止指示）の有無を調べてその結果により入力行のｍ＋１行目以降の貸方欄或いは借方欄に入力カーソルを表示するようにして（＝入力行のｍ＋１行目以降の借方欄或いは貸方欄への入力カーソルの表示を禁止するようにして）入力行のｍ＋１行目以降の借方欄或いは貸方欄への入力を行なえないようする（＝貸方欄或いは借方欄への入力を可能とする）方法（実施例２）がある。
（３）  また、上記（２）と（１）の方法を組合せた方法を用いることもできる（実施例３）。
【００２６】
＜実施例１＞
図３は本発明の会計伝票入力装置のデータ入力制御動作の一実施例を示すフローチャートである。
【００２７】
会計伝票入力装置１００が電源オンになると、制御部２は処理選択メニュー（図示せず）を表示部３に表示してユーザの選択を促す。
【００２８】
ステップＳ０：（振替伝票入力画面の表示）
図３（ａ）で、ユーザが振替伝票入力処理を選択すると制御部２は会計伝票入力プログラム群の中の振替伝票入力プログラムを起動し、表示部２に図２に示すような振替伝票入力画面２０を表示してユーザにデータ入力を促す。また、借方欄データ入力禁止フラグおよび貸方欄データ入力禁止フラグ（或いは、借方欄カーソル表示禁止フラグおよび貸方欄カーソル表示禁止フラグ）をオフにする。
【００２９】
ステップＳ１：（借方欄データ入力禁止の有無判定）
制御部２は借方欄データ入力禁止フラグがオンか否かを調べ、借方欄データ入力禁止フラグがオンの場合にはＳ４に遷移する。また、入力禁止フラグがオフの場合には借方欄に入力案内用カーソルを表示してＳ２に遷移する。なお、借方欄カーソル表示禁止フラグがオンの場合にＳ４に遷移するようにしてもよい。
【００３０】
ステップＳ２：（借方欄データ入力の有無判定）
制御部２は、操作部１からの入力信号（デジタル信号）を調べ、タブ（Ｔａｂ）操作または改行操作（例えば、タブキー、スペースキー、改行キー、或いはタブまたは改行を意味するファンクションキー等の操作）がなされた場合にはＳ３に遷移し、データ（金額および勘定科目コード）が入力された場合にはＳ４に遷移する（図３（ｂ），（ｂ’）参照）。
【００３１】
ステップＳ３：（借方欄データ入力禁止処理）
上記ステップＳ２で借方欄でタブ操作または改行操作がなされた場合には次の行以降は借方入力データはないので、制御部２は借方欄データ入力禁止フラグをオンにしてＳ４に遷移する。なお、借方欄データ入力禁止フラグをオンにする代りに借方欄カーソル表示禁止フラグをオンにするようにしてもよい。
【００３２】
ステップＳ４：（貸方欄データ入力禁止の有無判定）
制御部２は貸方欄データ入力禁止フラグがオンか否かを調べ、貸方欄データ入力禁止フラグがオンの場合にはＳ７に遷移する。また、入力禁止フラグがオフの場合には貸方欄に入力案内用カーソルを表示してＳ５に遷移する。なお、貸方欄カーソル表示禁止フラグがオンの場合にＳ７に遷移するようにしてもよい。
【００３３】
ステップＳ５：（貸方欄データ入力の有無判定）
制御部２は、操作部１からの入力信号を調べ、タブ操作または改行操作がなされた場合にはＳ６に遷移し、データ（勘定科目コードおよび金額）が入力された場合にはＳ７に遷移する（図３（ｃ）参照）。
【００３４】
ステップＳ６：（貸方欄データ入力禁止処理）
上記ステップＳ５で貸方欄でタブ操作または改行操作がなされた場合には次の行以降は貸方入力データはないので、制御部２は貸方欄データ入力禁止フラグをオンにしてＳ７に遷移する。なお、貸方欄データ入力禁止フラグをオンにする代りに貸方欄カーソル表示禁止フラグをオンにするようにしてもよい。
【００３５】
ステップＳ７：（伝票１枚の終了判定）
制御部２は操作部１からの入力信号を調べ、その振替伝票の入力が終了したことを意味する伝票１枚終了操作の有無を判定し、その振替伝票の入力が終了していない時にはＳ１に戻る。
【００３６】
ステップＳ８：（伝票１枚分の入力処理）
制御部２は入力データのチェック等を行ない、入力データに入力誤りがある場合にはその旨を表示して修正入力等を促し、入力誤りがない場合には伝票１枚分の入力データを所定のデータフォーマットで格納部４の入力伝票データファイルに書込む。
【００３７】
ステップＳ９：（振替伝票入力終了判定）
制御部２は操作部１からの入力信号を調べ、その振替伝票入力が終了したことを意味する伝票入力終了操作の有無を判定し、その振替伝票入力が終了していない時には次の振替伝票入力のためにＳ０に戻る。
【００３８】
なお、上記フローチャートでは説明上摘要の入力動作を省略したが、摘要入力欄を借方欄と貸方欄の間に設けた場合には上記ステップＳ３とＳ４の間にＳ４’として「カーソル表示および摘要入力」のステップを設け、ステップＳ１，２の判定動作の後の遷移先をＳ３’とするようにすればよく、摘要入力欄を貸方欄の後に設けた場合には上記ステップＳ６とＳ７の間にＳ７’として「カーソル表示および摘要入力」のステップを設け、ステップＳ４，Ｓ５の判定動作の後の遷移先をＳ７’とするようにすればよい。
【００３９】
［借方欄データ入力判定］
図３（ｂ）、（ｂ’）は上記ステップＳ２の借方欄データ入力の有無判定動作の説明用フローチャートである。
振替伝票入力画面２０の入力行が借方入力欄（借方金額入力欄、借方科目入力欄）、貸方欄（貸方科目入力欄、貸方金額入力欄）の順に入力するように構成されている場合には、図３（ｂ）に示すように、制御部２は、借方金額欄の入力操作待ち後（Ｓ２ー１）、借方金額欄への入力操作がなされた場合に、操作部１からの入力コードを調べそれがデータ（金額）の入力かタブ入力かを判定する。そして、タブ入力の場合にはＳ３（借方欄データ入力禁止処理）に遷移し、データ入力の場合にはＳ４に遷移する（Ｓ２ー２）、ように構成する。
【００４０】
また、借方入力欄（借方科目入力欄、借方金額入力欄）、貸方欄（貸方科目入力欄、貸方金額入力欄）の順に入力するように構成されている場合には、図３（ｂ’）に示すように、制御部２は、借方科目欄の入力操作待ち後（Ｓ２ー１’）、借方科目欄への入力操作がなされた場合に、操作部１からの入力コードを調べそれがデータ（文字（科目コード））の入力かタブ入力かを判定する。そして、タブ入力の場合にはＳ３（借方欄データ入力禁止処理）に遷移し、データ入力の場合にはＳ４に遷移する（Ｓ２ー２’）、ように構成する。
【００４１】
［貸方欄データ入力判定］
図３（ｃ）は上記ステップＳ５の貸方欄データ入力の有無判定動作の説明用フローチャートである。
制御部２は、借方金額欄の入力操作待ち後（Ｓ５ー１）、貸方科目欄への入力操作がなされた場合に、操作部１からの入力コードを調べそれがデータ（文字（科目コード））の入力か改行入力かを判定する。そして、改行入力の場合にはＳ６（借方欄データ入力禁止処理）に遷移し、データ入力の場合にはＳ７に遷移する（Ｓ５ー２）。
【００４２】
上記構成により、会計伝票入力装置１００は振替伝票のデータが貸方対借方で１対多（または小対多）、或いは多対１（または多対小）の場合に、少ない方の入力欄への入力データがなくなった次の行からその入力欄には入力を行なわないように自動的に入力案内用カーソルを多い方の入力欄にだけ表示するので、ユーザはそれ以降の入力行ではデータのない入力欄に入力操作を行なう必要がない。従って、入力効率が向上すると共に従来のようにカーソルに追従して入力不要の欄に誤ってデータ入力するようなことが生じない。また、振替伝票入力プログラムを上記の動作を実現するようにように構成することができる。
【００４３】
（具体例）
図６は本発明の伝票入力方法を適用した１対多の場合の振替伝票入力画面での入力動作の説明図であり、図７は多対１の場合の振替伝票入力画面での入力動作の説明図である。
【００４４】
図６（ａ）の例では、１行目は借方欄、貸方欄共に入力データ（入力科目コード、入力金額）があり、２行目、３行目は貸方欄には入力会計データがあるが借方欄にはない。
この場合、従来の振替伝票入力方式では図８（ｂ）に示すように［１］〜［５］、［６］〜［１０］、［１１］〜［１５］というように移動するカーソルの案内にしたがってユーザは入力を行なったが、図３のフローチャートに基づく会計伝票入力方法では、１行目の入力を終えると入力カーソルが［６］の位置に表示されるが、２行目の借方欄の［６］，［７］には入力データがないので入力をスキップするために［６］の位置でタブキーを押すと、２行目の［７］と３行目の（［１１］，［１２］）についてカーソル表示をせず、３行目以降は摘要欄と貸方欄にカーソルが表示される。
【００４５】
すなわち、２行目の［６］の入力欄には入力データがないので［６］で金額を入力する代りにユーザがタブキーを押すと２行目の［７］欄にはカーソルが表示されず、［８］〜［１０］欄にカーソルが順次表示されるので順次入力を行ない、［１０］欄の入力が終ると次の行に行送りされるが、このとき、カーソルは３行目の［１１］，［１２］欄には表示されず、［１３］〜［１５］欄に順次表示される。従ってユーザは［７］，［１１］，［１２］欄のスキップ操作を行なう必要がなくなる（図６（ｂ））。
【００４６】
同様に、図７（ａ）の例では、１行目は借方欄、貸方欄共に入力データ（入力科目コード、入力金額）があるが、２行目、３行目は借方欄には入力会計データがあるが貸方欄にはない。
この場合、従来の振替伝票入力方式では図９（ｂ）に示すように［１］〜［５］、［６］〜［１０］、［１１］〜［１３］というように移動するカーソルの案内にしたがってユーザは入力を行なったが、図３のフローチャートに基づく会計伝票入力方法では、２行目の摘要欄の入力を終えると入力カーソルが［９］の位置に表示されるが、２行目の貸方欄の［９］，［１０］には入力データがないので入力をスキップするために［９］の位置でタブキーを押すと、２行目の貸方欄［１０］と３行目の貸方欄についてカーソル表示をせず、３行目以降は摘要欄と借方欄にカーソルを表示するようにする。
【００４７】
すなわち、［９］，［１０］の入力欄には入力データがないのでユーザが［９］で科目データ（コード）を入力する代りにタブキーを押すと、カーソルは［１１］〜［１３］欄に順次表示され、［１０］欄に表示されない。従って、ユーザは［１０］欄のスキップ操作を行なう必要がなくなる（図７（ｂ））。
【００４８】
＜実施例２＞
図４は本発明の会計伝票入力装置のデータ入力制御動作の一実施例を示すフローチャートである。
【００４９】
会計伝票入力装置１００が電源オンになると、制御部２は処理選択メニュー（図示せず）を表示部３に表示してユーザの選択を促す。
【００５０】
ステップＴ０：（振替伝票入力画面の表示）
図４で、ユーザが振替伝票入力処理を選択すると制御部２は会計伝票入力プログラム群の中の振替伝票入力プログラムを起動し、表示部２に図２に示すような振替伝票入力画面２０を表示してユーザにデータ入力を促す。また、借方欄入力禁止フラグおよび貸方欄データ入力禁止フラグ（或いは、借方欄カーソル表示禁止フラグおよび貸方欄カーソル表示禁止フラグ）をオフにする。
【００５１】
ステップＴ１：（入力禁止処理済みか否かの判定）
制御部２は借方欄入力禁止フラグおよび貸方欄データ入力禁止フラグ（或いは、借方欄カーソル表示禁止フラグおよび貸方欄カーソル表示禁止フラグ）のいずれかがオンになっているか否かを調べ、オンの場合にはＴ６に遷移し、そうでない場合にはＴ２に遷移する。
【００５２】
ステップＴ２：（貸方欄固定指示の有無判定）
制御部２は、操作部１からの入力信号を調べ、ユーザが次の行以降については借方欄への入力を行なわないようにする貸方欄固定指示操作を行なったか否かを調べ、貸方欄固定指示操作を行なった場合にはＴ３に遷移し、そうでない場合にはＴ４に遷移する。
【００５３】
ステップＴ３：（借方欄データ入力禁止処理）
上記ステップＴ２で貸方欄固定指示操作がなされた場合には次の行以降は借方入力データはないので、制御部２は借方欄データ入力禁止フラグをオンにしてＴ６に遷移する。なお、借方欄データ入力禁止フラグをオンにする代りに借方欄カーソル表示禁止フラグをオンにするようにしてもよい。
【００５４】
ステップＴ４：（借方欄固定指示の有無判定）
制御部２は、操作部１からの入力信号（デジタル信号）を調べ、ユーザが次の行以降については貸方欄への入力を行なわないようにする借方欄固定指示操作を行なったか否かを調べ、借方欄固定指示操作を行なった場合にはＴ５に遷移し、そうでない場合にはＴ６に遷移する。
【００５５】
ステップＴ５：（貸方欄データ入力禁止処理）
上記ステップＴ４で借方欄固定指示操作がなされた場合には次の行以降は借方入力データはないので、制御部２は貸方欄データ入力禁止フラグをオンにしてＴ６に遷移する。なお、なお、借方欄データ入力禁止フラグをオンをオンにする代りに借方欄カーソル表示禁止フラグをオンにするようにしてもよい。
【００５６】
ステップＴ６：（借方欄データ入力禁止の有無判定）
制御部２は借方欄データ入力禁止フラグがオンか否かを調べ、借方欄データ入力禁止フラグがオンの場合にはＴ８に遷移する。また、入力禁止フラグがオフの場合には借方欄に入力案内用カーソルを表示してＴ７に遷移する。なお、借方欄カーソル表示禁止フラグがオンの場合にＴ７に遷移するようにしてもよい。
【００５７】
ステップＴ７：（借方欄データ入力）
制御部２は借方欄の金額および科目コードの入力を待ち、入力があるとＴ８に遷移する。
【００５８】
ステップＴ８：（貸方欄データ入力禁止の有無判定）
制御部２は貸方欄データ入力禁止フラグがオンか否かを調べ、貸方欄データ入力禁止フラグがオンの場合にはＴ１０に遷移する。また、入力禁止フラグがオフの場合には貸方欄に入力案内用カーソルを表示してＴ９に遷移する。なお、貸方欄カーソル表示禁止フラグがオンの場合にＴ９に遷移するようにしてもよい。
【００５９】
ステップＴ９：（借方欄データ入力）
制御部２は貸方欄の金額および科目コードの入力を待ち、入力があるとＴ１０に遷移する。
【００６０】
ステップＴ１０：（伝票１枚の終了判定）
制御部２は操作部１からの入力信号を調べ、その振替伝票の入力が終了したことを意味する伝票１枚終了操作の有無を判定し、その振替伝票の入力が終了していない時にはＴ１に戻る。
【００６１】
ステップＴ１１：（伝票１枚分の入力処理）
制御部２は入力データのチェック等を行ない、入力データに入力誤りがある場合にはその旨を表示して修正入力等を促し、入力誤りがない場合には伝票１枚分の入力データを所定のデータフォーマットで格納部４の入力伝票データファイル（図示せず）に書込む。
【００６２】
ステップＴ１２：（振替伝票入力終了判定）
制御部２は操作部１からの入力信号を調べ、その振替伝票入力が終了したことを意味する伝票入力終了操作の有無を判定し、その振替伝票入力が終了していない時には次の振替え伝票入力のためにＴ０に戻る。
【００６３】
なお、上記フローチャートでは説明上摘要の入力動作を省略したが、摘要入力欄を借方欄と貸方欄の間に設けた場合には上記ステップＴ７とＴ８の間にＴ８’として「カーソル表示および摘要入力」のステップを設けるようにすればよく、摘要入力欄を貸方欄の後に設けた場合には上記ステップＴ９とＴ１０の間にＴ１０’として「カーソル表示および摘要入力」のステップを設け、ステップＴ８，Ｔ９の判定動作後の遷移先をＴ１０’とするようにすればよい。
【００６４】
また、上記ステップＴ２〜Ｔ５で貸方欄入力固定処理や借方欄入力固定処理を行なうようにしているが、これらの処理はステップＴ６〜Ｔ９のデータ入力処理の後で行なうようにしてもよい。また、次の行の借方欄或いは貸方欄のいずれかに入力データがないときにユーザが貸方欄入力固定指示、借方欄入力固定指示を行なえるようにして、その指示があった場合に貸方欄入力固定処理や借方欄入力固定処理を行なうようにしてもよい。
【００６５】
［貸方欄入力固定指示および借方欄入力固定指示］
ユーザは次の入力行の借方欄或いは貸方欄のいずれかに入力データがないときに入力部１の所定の「貸方欄入力固定指示」用キーボード或いはファンクションキー或いは「借方欄入力固定指示」キーボード或いはファンクションキーを操作して貸方欄入力固定指示或いは借方欄入力固定指示を行なうことができる。
【００６６】
貸方欄入力固定指示があると次の行からは借方欄への入力は行なえず、摘要欄および貸方欄への入力のみが可能となる。また、借方入力固定指示があると次の行からは貸方欄への入力は行なえず、借方欄および摘要欄への入力のみが可能となる。
また、貸方欄入力固定指示があると図２の振替伝票入力画面の下段に表示されている「（貸方固定）」を意味する文字或いはアイコンが強調表示される。また、借方欄入力固定指示があると図２の下段に表示されている「（借方固定）」を意味する文字或いはアイコンが強調表示される。
【００６７】
なお、振替入力画面に「（貸方固定）」と「（借方固定）」を意味する文字或いはアイコンを表示しておき、それらの一方をマウス等でポイントすることにより貸方欄入力固定指示或いは借方欄入力固定指示を行なうようにしてもよい。
【００６８】
上記構成により、会計伝票入力装置１００は振替伝票のデータが貸方対借方で１対多（または小対多）、或いは多対１（または多対小）の場合に、次の行の借方欄或いは貸方欄に入力データがなくなったときにユーザが貸方欄入力固定指示或いは借方欄入力固定指示を行なうことによりデータのない欄に次の行から入力を行なわないように入力案内用カーソルをデータのある方の入力欄にだけ表示するので、ユーザは次の入力行以降ではデータのない方の入力欄に入力操作を行なう必要がない。従って、入力効率が向上する。また、振替伝票入力プログラムを上記の動作を実現するようにように構成することができる。
【００６９】
（具体例）
図６（ａ）の例では、１行目は借方欄、貸方欄共に入力データ（入力科目コード、入力金額）があり、２行目、３行目は貸方欄には入力会計データがあるが借方欄にはない。
この場合、従来の振替伝票入力方式では図８（ｂ）に示すように［１］〜［５］、［６］〜［１０］、［１１］〜［１５］というように移動するカーソルの案内にしたがってユーザは入力を行なったが、図４のフローチャートに基づく会計伝票入力方法では、［６］の入力欄には入力データがないので１行目または２行目のデータ入力前にユーザが入力部１の貸方欄入力固定指示用のファンクションキーを押してから、１行目の入力を終ると、２行目の［６］，［７］欄にはカーソルが表示されず、［８］〜［１０］欄にカーソルが順次表示されるので順次入力を行ない、［１０］欄の入力が終ると次の行（３行目）に行送りされる。このとき、カーソルは３行目の［１１］，［１２］欄には表示されず、［１３］〜［１５］欄に順次表示される。従ってユーザは［６］，［７］，［１１］，［１２］欄のスキップ操作を行なう必要がなくなる（図６（ｂ））。
【００７０】
同様に、図７（ａ）の例では、１行目は借方欄、貸方欄共に入力データ（入力科目コード、入力金額）があり、２行目、３行目は借方欄には入力会計データがあるが貸方欄にはない。
この場合、従来の振替伝票入力方式では図９（ｂ）に示すように［１］〜［５］、［６］〜［１０］、［１１］〜［１３］というように移動するカーソルの案内にしたがってユーザは入力を行なったが、図４のフローチャートに基づく会計伝票入力方法では、［９］，［１０］の入力欄には入力データがないのでユーザが１行目または２行目のデータ入力前にユーザが入力部１の貸方欄入力固定指示用のファンクションキーを押してから、１行目の入力を終えると、カーソルは［１１］〜［１３］欄に順次表示され、［９］，［１０］欄に表示されない。従って、ユーザは［９］，［１０］欄のスキップ操作を行なう必要がなくなる（図７（ｂ））。
【００７１】
＜実施例３＞
図５は本発明の会計伝票入力装置のデータ入力制御動作の一実施例を示すフローチャートであり、図４の貸方欄入力固定指示或いは借方欄入力固定指示による入力禁止処理と図３の入力データの有無の自動判定による入力禁止処理を組合せた例であり、ステップＵ０〜Ｕ５の動作は図４のステップＴ０〜Ｔ４の動作と同様であり、ステップＵ６以降の動作について説明する。
【００７２】
ステップＵ６：（借方欄データ入力禁止の有無判定）
制御部２は借方欄データ入力禁止フラグがオンか否かを調べ、借方欄データ入力禁止フラグがオンの場合にはＵ１０に遷移する。また、入力禁止フラグがオフの場合にはＵ７に遷移する。なお、借方欄カーソル表示禁止フラグがオンの場合にＵ１０に遷移するようにしてもよい。
【００７３】
ステップＵ７：（カーソル表示）
制御部２は借方欄に入力案内用カーソルを表示する。
【００７４】
ステップＵ８：（借方欄データ入力の有無判定）
制御部２は、操作部１からの入力信号を調べ、タブ操作または改行操作がなされた場合にはＵ９に遷移し、データ（勘定科目コードおよび金額）が入力された場合にはＵ１０に遷移する。
【００７５】
ステップＵ９：（借方欄データ入力禁止処理）
上記ステップＵ８で借方欄でタブ操作または改行操作がなされた場合には次の行以降は借方入力データはないので、制御部２は借方欄データ入力禁止フラグをオンにしてＵ１０に遷移する。なお、なお、借方欄データ入力禁止フラグをオンにする代りに借方欄カーソル表示禁止フラグをオンにするようにしてもよい。
【００７６】
ステップＵ１０：（貸方欄データ入力禁止の有無判定）
制御部２は貸方欄データ入力禁止フラグがオンか否かを調べ、貸方欄データ入力禁止フラグがオンの場合にはＵ１４に遷移する。また、入力禁止フラグがオフの場合にはＵ７に遷移する。なお、貸方欄カーソル表示禁止フラグがオンの場合にＵ１４に遷移するようにしてもよい。
【００７７】
ステップＳ１１：（カーソル表示）
制御部２０は貸方欄に入力案内用カーソルを表示する。
【００７８】
ステップＵ１２：（貸方欄データ入力の有無判定）
制御部２は、操作部１からの入力信号を調べ、タブ操作または改行操作がなされた場合にはＵ１３に遷移し、データ（勘定科目コードおよび金額）が入力された場合にはＵ１４に遷移する）。
【００７９】
ステップＵ１３：（貸方欄データ入力禁止処理）
上記ステップＵ１２で貸方欄でタブ操作または改行操作がなされた場合には次の行以降は貸方入力データはないので、制御部２は貸方欄データ入力禁止フラグをオンにしてＵ１４に遷移する。なお、なお、貸方欄データ入力禁止フラグをオンをオンにする代りに貸方欄カーソル表示禁止フラグをオンにするようにしてもよい。
【００８０】
ステップＵ１４：（伝票１枚の終了判定）
制御部２は操作部１からの入力信号を調べ、その振替伝票の入力が終了したことを意味する伝票１枚終了操作の有無を判定し、その振替伝票の入力が終了していない時にはＵ１に戻る。
【００８１】
ステップＵ１５：（伝票１枚分の入力処理）
制御部２は入力データのチェック等を行ない、入力データに入力誤りがある場合にはその旨を表示して修正入力等を促し、入力誤りがない場合には伝票１枚分の入力データを所定のデータフォーマットで格納部４の入力伝票データファイルに書込む。
【００８２】
ステップＵ１６：（振替伝票入力終了判定）
制御部２は操作部１からの入力信号を調べ、その振替伝票入力が終了したことを意味する伝票入力終了操作の有無を判定し、その振替伝票入力が終了していない時には次の振替伝票入力のためにＵ０に戻る。
【００８３】
なお、上記フローチャートでは説明上摘要の入力動作を省略したが、摘要入力欄を借方欄と貸方欄の間に設けた場合には上記ステップＵ９とＵ１０の間にＵ１０’として「カーソル表示および摘要入力」のステップを設け、ステップＵ６，Ｕ８の判定動作後の遷移先をＵ１０’とするようにすればよく、摘要入力欄を貸方欄の後に設けた場合には上記ステップＵ１３とＵ１４の間にＵ１４’として「カーソル表示および摘要入力」のステップを設け、ステップＵ１０，Ｕ１２の判定動作後の遷移先をＵ１０’とするようにすればよい。
【００８４】
また、上記ステップＵ２〜Ｕ５で貸方欄入力固定処理や借方欄入力固定処理を行なうようにしているが、これらの処理はステップＵ６〜Ｕ９のデータ入力処理の後で行なうようにしてもよい。また、次の行の借方欄或いは貸方欄のいずれかに入力データがないときにユーザが貸方欄入力固定指示、借方欄入力固定指示を行なえるようにして、その指示があった場合に貸方欄入力固定処理や借方欄入力固定処理を行なうようにしてもよい。
【００８５】
上記構成により、会計伝票入力装置１００は振替伝票のデータが貸方対借方で１対多（または小対多）、或いは多対１（または多対小）の場合に、次の行の借方欄或いは貸方欄に入力データがなくなったときにユーザが貸方欄入力固定指示或いは借方欄入力固定指示を行なうことによりデータのない欄に次の行から入力を行なわないように入力案内用カーソルをデータのある方の入力欄にだけ表示するので、ユーザは次の入力行以降ではデータのない方の入力欄のスキップ操作を行なう必要がない。また、ユーザが貸方欄入力固定指示或いは借方欄入力固定指示を忘れても自動的に入力データがなくなった次の行から入力を行なわないように自動的に入力案内用カーソルをデータのある方の入力欄にだけ表示するので、ユーザはそれ以降の入力行ではデータのない入力欄のスキップ操作を行なう必要がない。従って、入力効率が向上すると共に従来の用にカーソルに追従して入力不要の欄に誤ってデータ入力するようなことが生じない。また、ユーザに貸方欄入力固定指示或いは借方欄入力固定指示を行なえるチャンスを与えることにより、入力時のチェックを機械任せにした場合に生じるユーザのデータ確認および操作上の注意力の低下を防止できる。また、振替伝票入力プログラムを上記のような動作を実現するようにように構成することができる。
【００８６】
【発明の効果】
上述したように、第１の発明および第５の発明によれば、振替伝票に記載されている１対多若しくは多対１の取引を振替伝票入力画面の入力欄に入力する際に、借方入力欄或いは貸方入力欄に入力する取引がないと自動的に次の行からその入力欄の入力を禁止するので、オペレータは取引がなくてデータ入力の必要がなくなった入力欄の次の行から入力欄のスキップ操作を行なう必要がない。従って、入力効率が向上する。
また、振替伝票に記入される勘定（科目、金額）は貸方対借方で１対多（または小対多）、或いは多対１（または多対小）となり借方欄および貸方欄で異なるので、次（例えば２枚目）の振替伝票を画面上に設けられた入力欄に入力する際に、前回（例えば１枚目）の入力の際に設定された入力禁止設定をそのまま用いることができないが、振替伝票１枚ごとに入力禁止が解除されることから、オペレータは新たな伝票についても入力禁止設定の有無を意識することなく、入力する取引のない入力欄に至ったときに通常のスキップ操作（タブ操作若しくは改行操作）を１回行うだけで次の行からその入力欄の入力を禁止されるので、従来の振替伝票入力方式のように伝票ごとにデータ入力の必要な部分と不必要な部分（スキップ操作の必要な部分）の切り分けを振替伝票上の取引の記載の有無によりユーザが判断したり、入力禁止指示を行う必要がないことから更に入力効率が向上する。
【００８７】
また、第２の発明および第６の発明によれば、振替伝票に記載されている１対多若しくは多対１の取引を振替伝票入力画面の入力欄に入力する際に、次の行の借方入力欄或いは貸方入力欄に入力する取引がないときに入力固定操作を行なうと取引のない入力欄については次の行から入力を禁止するので、オペレータは次の入力行以降ではデータのない方の入力欄のスキップ操作を行なう必要がない。従って、入力効率が向上する。
また、振替伝票１枚ごとに入力固定設定が解除され、次（例えば２枚目）の振替伝票入力時に借方入力欄或いは貸方入力欄に入力する取引がなくなったときに次の行からその入力欄の入力を禁止するので、従来の振替伝票入力方式のように伝票ごとにデータ入力の必要な部分と不必要な部分（スキップ操作の必要な部分）の切り分けを振替伝票に記載された取引の有無によりユーザが判断したり、入力禁止指示を行う必要がないことから入力効率が向上する。
【００８８】
また、第３の発明および第７の発明によれば、振替伝票に記載されている１対多若しくは多対１の取引を振替伝票入力画面の入力欄に入力する際に、入力する取引のある方の入力欄にだけ入力案内用カーソルを表示するので、従来のようにカーソルに追従して入力不要の欄に誤ってデータ入力するようなことが生じない。
また、振替伝票１枚ごとに入力案内用カーソルの表示禁止が解除されるので、新たな振替伝票データの入力の際はカーソル表示にしたがって入力し、取引のない入力欄に至ったときに通常のスキップ操作を１回行うだけで次の行からその入力欄に対してはカーソル表示がされないので、従来の振替伝票入力方式のように伝票ごとにデータ入力の必要な部分と不必要な部分（スキップ操作の必要な部分）の切り分けを振替伝票上の取引の記載の有無によってユーザが判断したり、入力禁止指示を行う必要がないことから更に入力効率が向上する
また、第４の発明および第８の発明によれば、振替伝票に記載されている１対多若しくは多対１の取引を振替伝票入力画面の入力欄に入力する際に、入力固定操作があると入力固定されない側の入力欄については次の行から入力案内用カーソルの表示を禁止し、入力固定された側の入力欄にだけ入力案内用カーソルを表示するので、従来のようにカーソルに追従して入力不要の欄に誤ってデータ入力するようなことが生じない。
また、振替伝票１枚ごとに入力案内用カーソルの表示禁止が解除されるので、新たな振替伝票データの入力の際はカーソル表示にしたがって入力し、当該入力欄の次の行に入力する取引のない場合に入力固定操作を行うだけで次の行からその入力欄と対となる欄に対してはカーソル表示がなく、入力固定した側の入力欄に対してだけカーソル表示されるので、従来の振替伝票入力方式のように伝票ごとにデータ入力の必要な部分と不必要な部分（スキップ操作の必要な部分）の切り分けを振替伝票上の取引の記載の有無によりユーザが判断したり、入力禁止指示を行う必要がないことから入力効率が向上する。
【図面の簡単な説明】
【図１】本発明の会計伝票入力装置の一実施例のハードウエア構成例を示すブロック図である。
【図２】振替入力画面の一実施例を示す図である。
【図３】本発明の会計伝票入力装置のデータ入力制御動作の一実施例を示すフローチャートである。
【図４】本発明の会計伝票入力装置のデータ入力制御動作の一実施例を示すフローチャートである。
【図５】本発明の会計伝票入力装置のデータ入力制御動作の一実施例を示すフローチャートである。
【図６】本発明の伝票入力方法を適用した１対多の場合の振替伝票入力画面での入力動作の説明図である。
【図７】本発明の伝票入力方法を適用した多対１の場合の振替伝票入力画面での入力動作の説明図である。
【図８】従来の伝票入力方法での１対多の場合の振替伝票入力画面での入力動作の説明図である。
【図９】従来の伝票入力方法での多対１の場合の振替伝票入力画面での入力動作の説明図である。
【符号の説明】
１  入力部（入力手段、入力禁止指示手段）
２  制御部（入力制御手段、案内表示制御手段）
２０  振替伝票入力画面
１００  会計伝票入力装置
【図１】
0004183314.tif 000002
【図２】
0004183314.tif 000003
【図３】
0004183314.tif 000004
【図４】
0004183314.tif 000005
【図５】
0004183314.tif 000006
【図６】
0004183314.tif 000007
【図７】
0004183314.tif 000008
【図８】
0004183314.tif 000009
【図９】
0004183314.tif 000010